(57)【特許請求の範囲】
【請求項１】
ランプから射出された光を画像情報に応じて変調して投写する画像投写手段と、
前記ランプの点灯時間を計測する点灯時間計測手段と、を備えたプロジェクターであって、
当該プロジェクターを通常に使用可能な通常モード、または当該プロジェクターの使用時に制限がかけられる使用制限モードが設定されるモード設定手段と、
当該プロジェクターの動作を制御する制御手段と、を有し、
前記制御手段は前記点灯時間がランプ寿命警告時間を越えた場合に、ランプ交換を促す第１の警告メッセージを前記画像投写手段により投写させるとともに、前記モード設定手段を前記使用制限モードに設定し、
前記制御手段はさらに、前記使用制限モードが設定されている状態で所定の時間当該プロジェクターが連続して使用された場合に、第２の警告メッセージを前記画像投写手段により投写させ、
前記使用制限モードでは、当該プロジェクターの使用に際し、暗証番号入力を必要とすることを特徴とする、プロジェクター。
【請求項２】
請求項１に記載のプロジェクターにおいて、
前記制御手段は、前記第２の警告メッセージを前記画像投写手段により投写させた後、当該プロジェクターの電源をオフすることを特徴とする、プロジェクター。
【請求項３】
請求項１または２に記載のプロジェクターにおいて、
前記制御手段は、前記モード設定手段に前記使用制限モードが設定されている場合、前記ランプの点灯輝度を前記通常モードより低く設定することを特徴とする、プロジェクター。
【請求項４】
請求項１から３のいずれか一項に記載のプロジェクターにおいて、
前記ランプが交換されたことを検出するランプ交換検出手段をさらに備え、
前記制御手段は、前記ランプ交換検出手段により、前記ランプが交換されたことを検出した場合に、前記モード設定手段は、前記使用制限モードから前記通常モードに設定変更することを特徴とする、プロジェクター。
【請求項５】
ランプから射出された光を画像情報に応じて変調して投写する画像投写手段と、
前記ランプの点灯時間を計測する点灯時間計測手段と、を備えたプロジェクターであって、
当該プロジェクターを通常に使用可能な通常モード、または当該プロジェクターの使用時に制限がかけられる使用制限モードが設定されるモード設定手段と、
当該プロジェクターの動作を制御する制御手段と、を有し、
前記制御手段は前記点灯時間がランプ寿命警告時間を越えた場合に、前記モード設定手段を前記使用制限モードに設定し、
前記使用制限モードでは、当該プロジェクターの使用に際し、暗証番号入力を必要とすることを特徴とする、プロジェクター。
【発明の詳細な説明】
【技術分野】
【０００１】
本発明は、プロジェクター、及びプロジェクターの制御方法に関する。
【背景技術】
【０００２】
光源ランプ（ランプ）を使用して画像を投写するプロジェクターにおいて、光源ランプには寿命があり、一定の累積点灯時間を越えて使用すると切れてしまうため、特許文献１、及び特許文献２のように、光源ランプの累積点灯時間をメモリーに保存し、保存された累積点灯時間が予め設定した時間に到達したときに、光源ランプの交換を促す警告表示を行う方法が示されている。
【先行技術文献】
【特許文献】
【０００３】
【特許文献１】特開平４−２５０４３７号公報
【特許文献２】特開２００２−２８７２４３号公報
【発明の概要】
【発明が解決しようとする課題】
【０００４】
しかしながら、交換用の光源ランプを用意していない場合は、警告表示が出てもしばらくそのままで使い続けてしまうことがある。また、プロジェクターの光源ランプを交換するには、電源をオフし、光源ランプが交換可能な温度に下がるまで待たねばならない。特に、プロジェクターを天吊り設置で使用している場合、光源ランプの交換が煩雑で、そのまま使い続けることにより、光源ランプが切れてしまう可能性があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクター及びその制御方法は、ランプから射出された光を画像情報に応じて変調して投写する画像投写手段と、前記ランプの点灯時間を計測する点灯時間計測手段と、を備えたプロジェクターであって、当該プロジェクターを通常に使用可能な通常モード、または当該プロジェクターの使用時に制限がかけられる使用制限モードが設定されるモード設定手段と、当該プロジェクターの動作を制御する制御手段と、を有し、前記制御手段は前記点灯時間がランプ寿命警告時間を越えた場合に、ランプ交換を促す警告メッセージを前記画像投写手段により投写させるとともに、前記モード設定手段を前記使用制限モードに設定し、前記制御手段はさらに、前記使用制限モードが設定されている状態で所定の時間当該プロジェクターが連続して使用された場合に、第２の警告メッセージを前記画像投写手段により投写させる、ことを特徴とする。
【０００７】
本適用例によれば、プロジェクターのランプの点灯時間が予め定められたランプ寿命警
告時間を越えた場合、プロジェクターの使用時に制限がかけられる。これにより、ランプ
の交換を促しながら、ランプを交換するまでの間、制限つきでプロジェクターを使用する
ことになり、しかも、所定時間連続で使用すると警告されるので、早期のランプ交換をユーザーに促すことが可能になる。
【０００８】
［適用例２］上記適用例に記載のプロジェクターにおいて、前記制御手段は、前記モード設定手段に前記使用制限モードが設定されて、当該プロジェクターを所定の時間使用した場合に警告メッセージを前記画像投写手段により投写させるとともに、当該プロジェクターの電源をオフすることを特徴とする。
【０００９】
本適用例によれば、プロジェクターのランプがランプ寿命警告時間に達し、使用制限モードに入った場合、連続して使用できる時間が所定の時間に制限される。これにより、使用者は必要最低限の時間のみしか投写できないので、ランプ寿命警告時間に到達後、早期のランプ交換を促すとともに、プロジェクターの使用中にランプが切れるのを防止することが可能となる。
【００１０】
［適用例３］上記適用例に記載のプロジェクターにおいて、前記制御手段は、前記モード設定手段に前記使用制限モードが設定されている場合、前記ランプの点灯輝度を前記通常モードより低く設定することを特徴とする。
【００１１】
本適用例によれば、プロジェクターがランプ寿命警告時間に達し、使用制限モードに入った場合、ランプの点灯輝度が低輝度に設定されるので、ランプ寿命警告時間到達後、早期のランプ交換を促すとともに、低輝度でランプの負荷を抑えながら使用することが可能となる。
【００１２】
［適用例４］上記適用例に記載のプロジェクターにおいて、前記ランプが交換されたことを検出するランプ交換検出手段をさらに備え、前記制御手段は、前記ランプ交換検出手段により、前記ランプが交換されたことを検出した場合に、前記モード設定手段は、前記使用制限モードから前記通常モードに設定変更することを特徴とする。
【００１３】
本適用例によれば、プロジェクターのランプを交換後、使用者が特に設定を変えることなく、使用制限が解除され通常状態でプロジェクターを使用することが可能となる。
【００１４】
［適用例５］上記適用例に記載のプロジェクターにおいて、前記使用制限モードでは、当該プロジェクターの使用に際し、暗証番号入力を必要とする、ことを特徴とする。
【００１５】
本適用例によれば、暗証番号を知っている管理者か限られた使用者しか使用することができなくなるので、管理者にランプの早期交換を促すとともに、プロジェクターが使いつづけられるのを防止することが可能となる。
【図面の簡単な説明】
【００１６】
【図１】プロジェクターの回路構成を示すブロック図。
【図２】プロジェクターの電源オン時の動作を示すフローチャート。
【図３】プロジェクターの使用時間が使用制限時間を経過したときの動作を示すフローチャート。
【図４】プロジェクターのランプの累積点灯時間がランプ寿命警告時間に到達したときの動作を示すフローチャート。
【図５】プロジェクターの警告メッセージ。（ａ）はプロジェクター１の使用時間が使用制限時間を経過したときの電源オフ通知メッセージＭ１の一例、（ｂ）は動作中のランプ寿命警告時間到達時に警告するメッセージＭ２の一例を示す。
【発明を実施するための形態】
【００１７】
以下、図面を参照して本発明の一実施形態について説明する。なお、以下の実施形態は特許請求の範囲にかかる発明を限定するものではなく、また、実施形態における特徴の組み合わせの全てが発明の解決手段に必須であるとは限らない。
【００１８】
（第１実施形態）
図１は、本実施形態のプロジェクター１の回路構成を示すブロック図である。
図１に示すように、プロジェクター１は、画像投写手段１０、制御手段２０、記憶手段２１、光源制御手段２２、入力操作手段２３、画像信号入力手段５、画像信号処理手段３、ＯＳＤ処理手段４、電源端子６、電源部７、ランプ交換検出手段３０等で構成されており、これらは図示しない筐体の内部に収容されている。
【００１９】
画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、画像情報に応じて液晶ライトバルブ１２Ｒ、１２Ｇ、１２Ｂで変調し、投写レンズ１３から投写することによってスクリーンＳＣ等に画像を表示する。
【００２０】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。なお、光源ランプ１１ａがランプに相当する。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
また、光源１１は、交換可能なユニットとして構成されている。
【００２１】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２２】
なお、本実施形態では、画像投写手段１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２３】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
制御手段２０は、プロジェクター１を通常の動作で使用できる通常モード、またはプロジェクター１に使用制限がかけられる使用制限モードを設定するモード設定手段２０１を含む。
また、制御手段２０は、点灯時間計測手段に相当するタイマー２０ａを備え、光源ランプ１１ａの点灯時間を計測する。計測した点灯時間は、記憶手段２１にランプ点灯時間２１ａとして保存される。
【００２４】
プロジェクター１が起動し、光源制御手段２２に指示して、光源ランプ１１ａを点灯すると、制御手段２０はタイマー２０ａによる計時を開始し、計時した点灯時間は記憶手段２１のランプ点灯時間２１ａに加算される。
タイマー２０ａはプロジェクター１が使用制限モードになったときに、使用制限時間を計測するのにも用いられる。
【００２５】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
本実施形態では、光源ランプ１１ａの累積点灯時間であるランプ点灯時間２１ａが記憶手段２１に保存される。
【００２６】
入力操作手段２３は、図示は省略するが、ユーザーがプロジェクター１に対して各種指示を行うための複数の操作キーを備えている。
入力操作手段２３が備える操作キーとしては、電源のオン・オフを交互に切り替えるための電源キーや、画像信号入力手段５に入力される複数の画像入力端子を切り替えるための入力切替キー、各種設定を行うための設定メニューを重畳表示させるメニューキー、メニューからユーザーが設定項目を選択するカーソルキー、決定キー、エスケープキー、ヘルプキー等がある。
【００２７】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、使用者の操作内容に応じた赤外線等の操作信号を送信し、リモコン信号受信手段がこれを受信して制御情報として制御手段２０に伝達する。
【００２８】
ランプ交換検出手段３０は、メカニカルまたは電気的なスイッチなどで構成され、光源１１がプロジェクター１から外されたことを検出し、制御手段２０に通知する。
具体的には、ランプ交換検出手段３０は制御手段２０の指示により、ランプ交換監視状態に設定され、光源１１が外されると、ランプ交換検出状態になる。制御手段２０はランプ交換検出手段３０が、ランプ交換検出状態になっていることで光源１１が取り外され、再度取り付けられたことを検出する。
【００２９】
画像信号入力手段５は、上述したように複数の画像入力端子を備えており、各画像入力端子より、ビデオ再生装置やパーソナルコンピューター等、外部の画像出力装置から、図示しないケーブルを介して画像情報が入力される。
【００３０】
画像信号処理手段３は、画像信号入力手段５から入力される画像情報を、液晶ライトバルブ１２Ｒ、１２Ｇ、１２Ｂの各画素の階調を表す画像情報に変換する。ここで、変換された画像情報は、Ｒ、Ｇ、Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３１】
ＯＳＤ処理手段４は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段４は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段４は、必要なＯＳＤ画像情報をＯＳＤメモリーから読み出し、投写画像上の所定の位置にＯＳＤ画像が重畳されるように、画像信号処理手段３から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段４は、画像信号処理手段３から入力される画像情報を、そのまま液晶駆動手段１４に出力する。
【００３２】
液晶駆動手段１４は、ＯＳＤ処理手段４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３３】
電源部７には、ＡＣ１００Ｖ等の電力が電源端子６を介して外部から供給される。電源部７は、商用電源などの交流電源を所定の電圧の直流電源に変換して、プロジェクター１の各部に電力を供給する。また、電源部７は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３４】
光源制御手段２２は、制御手段２０の指示に基づいて、光源１１に対する電力の供給と停止とを制御し、光源ランプ１１ａの点灯、及び消灯を切り替える。また、光源制御手段２２は光源ランプ１１ａの点灯時の輝度を変更する（例えば、通常モードより明るいと感じる高輝度や、通常モードより暗いと感じる低輝度に設定する）ことも可能である。
【００３５】
本実施形態のプロジェクター１は、上記のように構成されているため、電源端子６に電源ケーブル（図示せず）が接続され、電源部７に電力が供給されると、電源部７は、少なくとも制御手段２０、記憶手段２１、入力操作手段２３に電力（スタンバイ電力）の供給を行い、制御手段２０は、この電力供給を受けて、制御プログラムに従った動作を開始する。
電力が供給された直後には、プロジェクター１は、スタンバイ状態（「電源オフ状態」ともいう。）であり、光源ランプ１１ａを消灯させた状態を維持している。そして、入力操作手段２３に備わる電源キーがユーザーにより操作されると、制御手段２０は、電源部７に指示をして、各部、又は／及び各手段への動作電力の供給を開始させ、プロジェクター１を電源オン状態に移行させる。
【００３６】
次に、本実施形態のプロジェクター１の動作を、図２から図４のフローチャートを用いて説明する。
（電源オン操作）
図２はプロジェクター１の電源オン時の動作を示すフローチャートである。
図２に示すように、プロジェクター１のスタンバイ状態において、入力操作手段２３より電源オン（ＯＮ）操作を検出すると（ステップＳ１０１）、制御手段２０は、ランプ交換検出手段３０が光源１１（光源ランプ１１ａ）の交換を検出しているか否かを調べる（ステップＳ１０２）。ランプ交換検出手段３０が光源１１の交換を検出している場合（ステップＳ１０２：Ｙ）、ステップＳ１０３に遷移する。ランプ交換検出手段３０が光源１１の交換を検出していない場合（ステップＳ１０２：Ｎ）、ステップＳ１０５に遷移する。
【００３７】
ステップＳ１０３において制御手段２０は、ランプ点灯時間２１ａをリセットし、ランプ交換検出手段３０をランプ交換監視状態に設定して、ステップＳ１０４に遷移する。
【００３８】
ステップＳ１０４において制御手段２０は、モード設定手段２０１を通常モードに設定し、ステップＳ１０５に遷移する。
【００３９】
ステップＳ１０５において制御手段２０は、光源制御手段２２により光源ランプ１１ａを点灯し、プロジェクター１を電源オン状態に移行させ、ステップＳ１０６に遷移する。
【００４０】
ステップＳ１０６において制御手段２０は、モード設定手段２０１に使用制限モードが設定されているか否かを調べる。モード設定手段２０１に使用制限モードが設定されている場合（ステップＳ１０６：Ｙ）、ステップＳ１０７に遷移する。モード設定手段２０１に使用制限モードが設定されていない場合、即ち通常モードが設定されている場合（ステップＳ１０６：Ｎ）、ステップＳ１０９に遷移する。
【００４１】
ステップＳ１０７において制御手段２０は、光源制御手段２２により、光源ランプ１１ａの点灯輝度を低輝度に設定し、ステップＳ１０８に遷移する。
【００４２】
ステップＳ１０８において制御手段２０は、ランプ交換警告メッセージＭ２を画像投写手段１０により投写し、ステップＳ１１０に遷移する。このときのランプ交換警告メッセージＭ２の一例を図５（ｂ）に示す。
【００４３】
ステップＳ１０９において制御手段２０は、光源制御手段２２により、光源ランプ１１ａの点灯輝度を高輝度に設定し、ステップＳ１１０に遷移する。
【００４４】
ステップＳ１１０において制御手段２０は、タイマー２０ａによる時間の計時を開始し、ステップＳ１１１に遷移する。
【００４５】
ステップＳ１１１において制御手段２０は、画像信号入力手段５から入力される画像データを画像投写手段１０により投写開始し、本動作フローを終了する。
【００４６】
（使用制限時間経過）
図３はプロジェクター１が使用制限モードで動作中に、タイマー２０ａによる計時が所定の時間としての使用制限時間Ｔ１（例えば３０分）を経過したときの動作を示すフローチャートである。
図３に示すように、プロジェクター１が動作中にタイマー２０ａによる計時が使用制限時間Ｔ１に到達すると（ステップＳ２０１）、制御手段２０は、電源オフ通知メッセージＭ１を所定時間、画像投写手段１０により投写し（ステップＳ２０２）、ステップＳ２０３に遷移する。このときの電源オフ通知メッセージＭ１の一例を図５（ａ）に示す。
【００４７】
ステップＳ２０３において制御手段２０は、光源制御手段２２により光源ランプ１１ａを消灯し、プロジェクター１の電源をオフし、ステップＳ２０４に遷移する。
【００４８】
ステップＳ２０４において制御手段２０は、プロジェクター１をスタンバイ状態に移行させ、本動作フローを終了する。
【００４９】
（ランプ寿命警告時間到達）
図４はプロジェクター１の動作中にランプ点灯時間２１ａがランプ寿命警告時間に到達したときの動作を示すフローチャートである。
図４に示すように、プロジェクター１の投写中にランプ点灯時間２１ａがランプ寿命警告時間に到達したことを制御手段２０が検出すると、（ステップＳ３０１）、制御手段２０は、モード設定手段２０１を使用制限モードに設定し（ステップＳ３０２）、ステップＳ３０３に遷移する。
【００５０】
ステップＳ３０３において制御手段２０は、ランプ点灯時間２１ａがランプ寿命警告時間に到達したことを通知するランプ交換警告メッセージＭ２を画像投写手段１０により投写させ、ステップＳ３０４に移行する。このときのランプ交換警告メッセージＭ２の一例を図５（ｂ）に示す。
【００５１】
ステップＳ３０４において本動作フローを終了する。
【００５２】
以上説明したように、本実施形態のプロジェクター１によれば、ランプ点灯時間２１ａが予め定められたランプ寿命警告時間を越えた場合、プロジェクター１を使用制限モードに設定し、使用時に制限がかけられる。これにより、光源ランプ１１ａの交換を促しながら、光源ランプ１１ａを交換するまでの間、制限つきでプロジェクター１を使用することが可能になる。
【００５３】
例えば、プロジェクター１が使用制限モードに入った場合、連続して使用できる時間が制限される。これにより、ランプ点灯時間２１ａがランプ寿命警告時間に到達後、使用者が、プロジェクター１を長時間使い続けるのを防止することができる。さらに、必要最低限の時間のみしか使用できないので、使用者に対して、光源ランプ１１ａの早期交換を促すことができる。
【００５４】
また、プロジェクター１が使用制限モードに入った場合、光源ランプ１１ａの点灯輝度が低輝度に設定されるので、ランプ点灯時間２１ａがランプ寿命警告時間に到達後、低輝度で光源ランプ１１ａの負荷を抑えながら使用することが可能となる。
なお、光源ランプ１１ａを交換後、モード設定手段２０１が通常モードに設定されて、使用制限が解除され、使用者が特に設定を変えることなく、通常状態でプロジェクター１を使用することが可能となる。
【００５５】
また、上記実施形態は、以下のように変更してもよい。
（変形例１）
上述した実施形態においては、モード設定手段２０１が使用制限モードに設定された場合、プロジェクター１の光源ランプ１１ａを使用制限時間Ｔ１使用した場合に電源をオフし、光源ランプ１１ａの点灯輝度を低輝度に設定するが、使用制限モードの場合、使用時に暗証番号認証が必要なようにしてもよい。これにより、ランプ寿命警告時間到達後、暗証番号を知っている管理者や限られた使用者しか、使用することができなくなるので、管理者にランプの早期交換を促すとともに、プロジェクター１が使い続けられるのを防止することが可能となる。
【符号の説明】
【００５６】
１…プロジェクター、３…画像信号処理手段、４…ＯＳＤ処理手段、５…画像信号入力手段、６…電源端子、７…電源部、１０…画像投写手段、１１…光源、１２Ｒ，１２Ｇ，１２Ｂ…液晶ライトバルブ、１３…投写レンズ、１４…液晶駆動手段、２０…制御手段、２０１…モード設定手段、２１…記憶手段、２１ａ…ランプ点灯時間、２２…光源制御手段、２３…入力操作手段、３０…ランプ交換検出手段。
【図１】
0005782888.tif 000002
【図２】
0005782888.tif 000003
【図３】
0005782888.tif 000004
【図４】
0005782888.tif 000005
【図５】
0005782888.tif 000006